(57)【要約】      （修正有）【課題】省電力や安全、使用便利、差し込み口を自由に増加できる省エネコンセントを提供する。【解決手段】省エネコンセントは、主に、本体１と、少なくとも一つの制御スイッチ２と、少なくとも一つのＬＥＤ指示ランプ３とを含む。前記本体内部に電気回路が設けられ、且つ、前記本体に少なくとも一組の電気差し込み口１１が設けられ、前記電気差し込み口が前記電気回路に電気的に接続されている。前記制御スイッチが前記本体に設けられ、前記制御スイッチが前記電気回路に電気的に接続して前記電気差し込み口に電気的に導通されている。少なくとも一つのＬＥＤ指示ランプが前記本体に設けられ、前記ＬＥＤ指示ランプが前記電気回路に電気的に接続して前記制御スイッチに電気的に導通されている。【選択図】図１
0003167470.tif 000002
【実用新案登録請求の範囲】
【請求項１】
内部に電気回路が設けられ、且つ、前記電気回路に電気的に接続された少なくとも一組の電気差し込み口が設けられている本体と、
前記本体に設けられ、前記電気回路に電気的に接続して前記電気差し込み口に電気的に導通されている少なくとも一つの制御スイッチと、
前記本体に設けられ、前記電気回路に電気的に接続して前記制御スイッチに電気的に導通されている少なくとも一つのLED指示ランプと、を含む省エネコンセント。
【請求項２】
前記電気差し込み口内に保護ドアがさらに設けられ、前記保護ドアは、底板と、対向して設置している２つの可動フレームとを含み、前記底板には電気差し込み口に対応する両開口と前記両開口の間に直立された係止部とが設けられ、前記各可動フレームは、縦部と、該縦部の一方側から延在されるとともに前記縦部に垂直する第１横部及び第２横部とを含み、前記両可動フレームが互いに当接して両第１横部を内に、両第２横部を外に形成し、前記各第１横部と前記係止部の間にばねが介在され、前記第１横部と前記第２横部とが互いに当接するように形成されていることを特徴とする請求項１に記載の省エネコンセント。
【請求項３】
前記本体が蓋板に結合され、露出型コンセントと埋め込み型コンセントとのうち何れか一つが形成されていることを特徴とする請求項１に記載の省エネコンセント。
【請求項４】
前記本体には電気ブレードがさらに設けられ、前記電気ブレードが前記電気回路に電気的に接続されていることを特徴とする請求項１に記載の省エネコンセント。
【請求項５】
前記電気差し込み口は、１１０Ｖ及び２２０Ｖのうち何れかの一つであることを特徴とする請求項１に記載の省エネコンセント。
【考案の詳細な説明】
【技術分野】
【０００１】
本考案は、省エネコンセントに関し、特に、省電力や安全な省エネコンセントに関る。
【背景技術】
【０００２】
近来、温室効果が益々厳しくなり、さらに環境保護意識の台頭に加え、再生可能エネルギーを開発して人類が電力に対するニーズを満足させる外、省電力の使い方も非常に大事となっている。最も便利且つ最も簡単な省電力の方法として、電器やパソコンを使用終了した時点から、そのプラグをコンセントから抜け外しておくことである。これは、プラグがコンセントに接続されたままとすれば、これらの電器が使用されていなくても、なお電源待機状態となっており、すなわち、電力がずっと消費しており、日々重ねにつれてたくさんの電力が失ってしまうためである。
しかしながら、人々の多くは、プラグの差し込みや引き抜けの動作を繰り返して行わなければならないことに対して面倒や不便と感じられ、しかも、プラグの差し込み、引き抜けの動作を複数回行うと、プラグが緩めとなり損壊されてしまう可能性もある。
【０００３】
さらに、現在市販しているコンセントは、差し込み口を保護する設計が殆んどないため、家庭内において幼児が不用意に誤って接触したり、コンセントを鋭器で掘ったりすれば、感電し易くなるだけではなく、コンセントも破壊され易く使用できなくなる。
【０００４】
そのため、省エネ省電力且つ、操作上にも安全及び便利な本考案をどうすれば設計できるかが、本考案の創作者が解決しようとする課題である。
【考案の開示】
【考案が解決しようとする課題】
【０００５】
本考案は、電源の遮断を制御スイッチで制御することにより、プラグを引き抜けず、省エネ省電力且つ使用便利の効果も達成できる省エネコンセントを提供することを一つの目的とする。
【０００６】
本考案は、保護ドアを設計することにより、誤って接触したり異物の侵入による破壊を防げ、感電を安全に防止できる効果を達する省エネコンセントを提供することをもう一つの目的とする。
【０００７】
本考案は、本体に電気ブレードが設けられることにより、従来の伝統的なコンセントにも接続可能となり、差し込み口を自由に増加でき、実施便利の効果を達する省エネコンセントを提供することをさらなる一つの目的とする。
【課題を解決するための手段】
【０００８】
前記目的を達成するため、本考案の省エネコンセントは、本体と、少なくとも一つの制御スイッチと、少なくとも一つのLED指示ランプとを含む。前記本体の内部に電気回路が設けられ、且つ、前記本体に少なくとも一組の電気差し込み口が設けられ、前記電気差し込み口が前記電気回路に電気的に接続されている。前記制御スイッチが前記本体に設けられ、前記制御スイッチが前記電気回路に電気的に接続して前記電気差し込み口に電気的に導通されている。前記少なくとも一つのLED指示ランプが前記本体に設けられ、前記LED指示ランプが前記電気回路に電気的に接続して前記制御スイッチに電気的に導通されている。
【０００９】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【００１０】
【図１】図１は、本考案に係る省エネコンセントの第１実施例の外観図である。
【図２】図２は、本考案に係る省エネコンセントの第１実施例の電気回路を示す図である。
【図３】図３は、本考案に係る省エネコンセントの第１実施例の本体と保護ドアとを示す分離図である。
【図４】図４は、本考案に係る省エネコンセントの第１実施例の保護ドアを示す分解図である。
【図５】図５は、本考案に係る省エネコンセントの第２実施例の外観図である。
【図６】図６は、本考案に係る省エネコンセントの第３実施例の外観図である。
【図７】図７は、本考案に係る省エネコンセントの第３実施例の電気回路を示す図である。
【図８】図８は、本考案に係る省エネコンセントの第４実施例の外観図である。
【考案を実施するための最良の形態】
【００１１】
＜第１実施例＞
図１〜図４に示すように、本考案の省エネコンセントは、本体１と、制御スイッチ２と、LED指示ランプ３とを含む。
【００１２】
本体１（略長方形体となっているが、これに限らない）は、上筐１ａと下筐１ｂとからなり（互いに結合又は他の結合部材により結合され）、本体１の内部に電気回路１０が設けられ、本体１にプラグを差し込むための２組の電気差し込み口１１（１１０Ｖの二穴差し込み口）が設けられ、電気差し込み口１１が電気回路１０に電気的に接続されている。
電気差し込み口１１内に保護ドア１２が設けられ、誤って接触し手感電してしまうことを防ぐため、電気差し込み口１１に差し込まれない時に遮断状態となっている。
保護ドア１２は、片方が差し込まれて危険を齎すことを防ぐため、プラグの２本のピンが電気差し込み口１１に同時に差し込まれないと保護ドア１２が開かないように設計されている。
保護ドア１２は、底板１２１と、対向して設置している２つの可動フレーム１２２とを含み、底板１２１には電気差し込み口１１に対応する両開口１２１ａと該両開口１２１ａの間に直立された係止部１２１ｂとが設けられている。
各可動フレーム１２２は、縦部１２２ａと、該縦部１２２ａの一方側から延在されるとともに縦部１２２ａに垂直する第１横部１２２ｂ及び第２横部１２２ｃとを含み、両可動フレーム１２２が互いに当接して両第１横部１２２ｂを内に、両第２横部１２２ｃを外に形成している。
また、各第１横部１２２ｂと係止部１２１ｂとの間にばね１２３が介在され、第１横部１２２ｂと第２横部１２２ｃとが互いに当接して電気差し込み口１１を遮蔽するように形成されている。
特に、第１横部１２２ｂと第２横部１２２ｃとが互いに当接してＶ字状溝が形成され、プラグを電気差し込み口１１に差し込んだ時の勢いにより保護ドア１２を同時に開くことができるように仕組まれ、省力の効果を備えている。
【００１３】
制御スイッチ２（ボタン式であるが、これに限られず）が本体１に設けられ、外部電源４が流れているか否かを制御するためのものである。
制御スイッチ２が電気回路１０に電気的に接続して電気差し込み口１１に電気的に導通されている。
本体１に凹み部が設けられ、制御スイッチ２が本体１の凹み部内に設けられ、プラグの差し込みや引き抜けときに誤って接触して制御スイッチ２の正確機能を影響してしまうことを防ぐため、制御スイッチ２のタッチ面が本体１の表面と面一（又はやや低く）になっていることが好ましい。
制御スイッチ２がオン状態（short state）となると、このときの省エネコンセントが電源待機状態になり、電器のプラグの差し込みの用途に供えられ、使用終了すれば、該制御スイッチ２を軽くタッチすれば、オフ状態（open state）となり、外部電源の流れが阻止され、この際に、省エネコンセントの電源が切れた状態となり、プラグを引き抜けなくても電力を消費しない。
【００１４】
LED指示ランプ３（様々な色のタイプであっても良い）が本体１に設けられ、LED指示ランプ３が電気回路１０に電気的に接続して制御スイッチ２に電気的に導通されている。
【００１５】
電気回路１０の一端が外部電源４の一端に接続され、電気回路１０の他端が、制御スイッチ２、電気差し込み口１１及びLED指示ランプ３に接続され、さらに外部電源４の他端に接続されている。また、これらの電気差し込み口１１がLED指示ランプ３と並列してからさらに制御スイッチ２に直列されている。
【００１６】
使用時に、本実施例の本体１が蓋板１３に結合され、露出型コンセントとなり、実際使用時に、本体１を蓋板１３に結合して埋め込み型コンセントとなっても良い。
【００１７】
＜第２実施例＞
図５に示すように、本実施例は、第１実施例の構造と略同じであり、該省エネコンセントは、本体１と、３つの制御スイッチ２と、３つのLED指示ランプ３とを含む点で異なっている。
本体１は略長方形体となり、本体１に３組の電気差し込み口１１（１１０Ｖの３穴差し込み口であり、活性線、中性線、アース線にそれそれ対応し）が設けられ、各組の電気差し込み口１１にLED指示ランプ３が配置され、また、各組の電気差し込み口１１は、その電源待機や遮断が制御スイッチ２によりそれぞれ制御されている。
よって、一部の電器が使用されない時に、電気差し込み口１１の電源を選択的に遮断でき、コンセントの使用便利性が向上される。保護ドア１２について、アース線近傍の差し込み口の可動フレーム１２２は、縦部１２２ａの他方側から延在された第３横部（図４に合わせて参照し）を含み、第３横部がアース線の差し込み口に対応している点で異なっている。
【００１８】
＜第３実施例＞
図６及び図７に示すように、本実施例は、第２実施例の構造と略同じであり、本体１は、円弧状側縁となる柱状体であり、本体１には電気ブレード１４がさらに設けられ、電気ブレード１４が本体１の裏面に設けられるとともに電気回路１０に電気的に接続されている点で異なっている。よって、本考案の省エネコンセントが、従来の伝統的なコンセント（本明細書の省エネコンセントであっても良い）に接続可能となり、差し込み口を自由に増加できる。
【００１９】
＜第４実施例＞
図８に示すように、本実施例は、第３実施例の構造と略同じであり、電気ブレード１４が本体１の側面に枢着されるとともに電気回路１０に電気的に接続されている点で異なっている。よって、本考案の省エネコンセントが、従来の伝統的なコンセント（本明細書の省エネコンセントであっても良い）に接続可能となり、差し込み口を自由に増加できるとともに、電器のプラグの差し込み方向を調整できる。
【００２０】
勿論、本考案の省エネコンセントの電気差し込み口１１は、２２０Ｖの３穴差し込み口であっても、同じ効果を得られる。
【００２１】
以上のように、本考案に係る省エネコンセントは、電源の遮断を制御スイッチで制御することにより、プラグを引き抜けず、省エネ省電力且つ使用便利の効果も達成でき、保護ドア２を設計することにより、誤って接触したり異物の侵入による破壊を防止でき、感電を安全に防止できる効果を達し、さらに、本体１に電気ブレード１４が設けられることにより、従来の伝統的なコンセントにも接続可能となり、差し込み口を自由に増加でき、実施便利の効果を達成できることを特徴とする。
【００２２】
しかし、以上のように単に本考案の好ましい実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００２３】
１・・・・・・本体
１ａ・・・・・上筐
１ｂ・・・・・下筐
２・・・・・・制御スイッチ
３・・・・・・LED指示ランプ
４・・・・・・外部電源
１１・・・・・電気差し込み口
１２・・・・・保護ドア
１２１・・・・底板
１２２・・・・可動フレーム
１２１ａ・・・・開口
１２１ｂ・・・係止部
１２２ａ・・・縦部
１２２ｂ・・・第１横部
１２２ｃ・・・第２横部
１２３・・・・ばね
１３・・・・・蓋板
１４・・・・・電気ブレード
【図１】
0003167470.tif 000003
【図２】
0003167470.tif 000004
【図３】
0003167470.tif 000005
【図４】
0003167470.tif 000006
【図５】
0003167470.tif 000007
【図６】
0003167470.tif 000008
【図７】
0003167470.tif 000009
【図８】
0003167470.tif 000010
【手続補正書】
【提出日】平成23年2月18日(2011.2.18)
【手続補正１】
【補正対象書類名】実用新案登録請求の範囲
【補正対象項目名】全文
【補正方法】変更
【補正の内容】
【実用新案登録請求の範囲】
【請求項１】
内部に外部電源と電気的に接続する電気回路が設けられ、且つ、前記電気回路に電気的に接続された少なくとも一組の電気差し込み口が設けられている本体と、
前記本体に設けられ、前記電気回路に電気的に接続して前記電気差し込み口に電気的に導通されていて、前記一組の電気差し込み口への通電のオンオフを制御する少なくとも一つの制御スイッチと、
前記本体に設けられ、前記電気回路に電気的に接続して前記制御スイッチに電気的に導通されていて、前記一組の電気差し込み口への通電のオンオフを表示する少なくとも一つのLED指示ランプと、を含み、
前記前記電気回路に電気差し込み口とLED指示ランプが並列配置されているとともに、前記制御スイッチが前記電気回路に直列配置されている省エネコンセント。
【請求項２】
前記電気差し込み口内に保護ドアがさらに設けられ、前記保護ドアは、底板と、対向して設置している２つの可動フレームとを含み、前記底板には電気差し込み口に対応する両開口と前記両開口の間に直立された係止部とが設けられ、前記各可動フレームは、縦部と、該縦部の一方側から延在されるとともに前記縦部に垂直する第１横部及び第２横部とを含み、前記両可動フレームが互いに当接して両第１横部を内に、両第２横部を外に形成し、前記各第１横部と前記係止部の間にばねが介在され、前記第１横部と前記第２横部とが互いに当接するように形成されていることを特徴とする請求項１に記載の省エネコンセント。
【請求項３】
前記本体が蓋板に結合され、露出型コンセントと埋め込み型コンセントとのうち何れか一つが形成されていることを特徴とする請求項１に記載の省エネコンセント。
【請求項４】
前記本体には電気ブレードがさらに設けられ、前記電気ブレードが前記電気回路に電気的に接続されていることを特徴とする請求項１に記載の省エネコンセント。
【請求項５】
前記電気差し込み口は、１１０Ｖ及び２２０Ｖのうち何れかの一つであることを特徴とする請求項１に記載の省エネコンセント。
【手続補正２】
【補正対象書類名】明細書
【補正対象項目名】０００８
【補正方法】変更
【補正の内容】
【０００８】
前記目的を達成するため、本考案の省エネコンセントは、本体と、少なくとも一つの制御スイッチと、少なくとも一つのLED指示ランプとを含む。前記本体の内部に外部電源と電気的に接続する電気回路が設けられ、且つ、前記本体に少なくとも一組の電気差し込み口が設けられ、前記電気差し込み口が前記電気回路に電気的に接続されている。前記制御スイッチが前記本体に設けられ、前記制御スイッチが前記電気回路に電気的に接続して前記電気差し込み口に電気的に導通されていて、前記一組の電気差し込み口への通電のオンオフを制御する。前記少なくとも一つのLED指示ランプが前記本体に設けられ、前記LED指示ランプが前記電気回路に電気的に接続して前記制御スイッチに電気的に導通されていて、前記一組の電気差し込み口への通電のオンオフを表示する。